(57)【特許請求の範囲】
【請求項１】
略直方体フレーム状に形成された複数の建物ユニットを組み合わせてなる建物本体の上部に設けられ、屋根を支持する屋根の支持構造であって、
前記複数の建物ユニットのうち、一部の建物ユニットの上面に設置され、複数本の小屋梁によって矩形枠状に形成された小屋パネルと、
前記複数の建物ユニットのうち、前記小屋パネルが設置されていない建物ユニットの柱に支持される補助部材と、
前記小屋梁と前記補助部材とに跨って取り付けられる第１屋根束と、を備えており、
前記補助部材は、前記柱の上に載置されて前記第１屋根束を支持する本体部と、前記柱を有する建物ユニットに取り付けられる取付部と、を有しており、
前記本体部の上面は、前記小屋梁と共に前記第１屋根束を受ける前記補助部材の上面を構成しており、
前記取付部は、前記本体部の下端部に隣接して設けられ、当該取付部の下面は、前記本体部の下面と共に前記補助部材の下面を構成しており、
前記本体部の上面によって構成される前記上面よりも、前記本体部の下面と前記取付部の下面によって構成される前記下面の方が面積が広く設定され、
前記取付部には、前記柱を有する建物ユニットに前記補助部材を取り付けるためのボルトが挿通される通し孔が形成され、
前記通し孔は、平面視において、前記本体部の上面からずれた位置に形成されていることを特徴とする屋根の支持構造。
【請求項２】
請求項１に記載の屋根の支持構造において、
前記補助部材は、略台形箱状に形成されており、前記本体部の両側端部と前記取付部の両側端部にそれぞれ接合されて前記補助部材の両側面を構成する側面補強部を有することを特徴とする屋根の支持構造。
【請求項３】
請求項１又は２に記載の屋根の支持構造であって、
前記補助部材の前記本体部の上面は、前記小屋パネルの上面と同一の高さに設定されていることを特徴とする屋根の支持構造。
【請求項４】
請求項１から３のいずれか一項に記載の屋根の支持構造であって、
前記補助部材は、前記小屋パネルの隅部の近傍に設けられ、
前記第１屋根束は、前記隅部と前記補助部材とに跨って取り付けられていることを特徴とする屋根の支持構造。
【請求項５】
請求項１から４のいずれか一項に記載の屋根の支持構造であって、
前記小屋梁の外側面に取り付けられるブラケットと、
前記小屋梁と前記ブラケットとに跨って取り付けられる第２屋根束と、を更に備えることを特徴とする屋根の支持構造。
【請求項６】
請求項５に記載の屋根の支持構造であって、
前記小屋パネルは、前記小屋梁のうち対向する２本の小屋梁の間に架け渡される中間梁を有し、
前記ブラケットは、前記小屋梁のうち前記中間梁が設けられた位置の外側に取り付けられていることを特徴とする屋根の支持構造。
【発明の詳細な説明】
【技術分野】
【０００１】
本発明は、屋根の支持構造に関する。
【背景技術】
【０００２】
従来、複数の建物ユニットが組み合わされた建物本体の上に屋根束を介して複数の屋根パネルが支持されたユニット式建物が知られている（例えば、特許文献１、特許文献２参照）。
【０００３】
また、上階と屋根の間に小屋裏空間が設けられたユニット式建物も提供されている。このようなユニット式建物では、小屋裏空間に収納室等を形成するために床が設けられ、当該床の荷重を上階の建物ユニットの柱に伝達させるように、上階を構成する全ての建物ユニットの上に小屋パネルが設置される。そして、当該小屋パネルの上に、屋根パネルを支持する屋根束が立設されている。屋根束は、隣り合う小屋パネルの梁同士に跨がるように立設される。
【先行技術文献】
【特許文献】
【０００４】
【特許文献１】特開２００９−２１５８号公報
【特許文献２】特開２０１０−１７４５１２号公報
【発明の概要】
【発明が解決しようとする課題】
【０００５】
ところで、小屋裏空間が形成されない領域にまで小屋パネルを設けると、作業の手間やコストが増大するため、小屋裏空間に対応させて必要な箇所にのみ小屋パネルを設置する方法が考えられる。
しかしながら、上階を構成する複数の建物ユニットのうち、一部の建物ユニットの上にのみ小屋パネルを設置すると、当該小屋パネルの上面と小屋パネルが設置されていない建物ユニットの上面との間に高さのずれが生じる。このため、そのままでは屋根束を立設することができない。ここで、屋根束が小屋パネルの上面にのみ立設されるように当該屋根束の取付け位置を変更すると、上階を構成する全ての建物ユニットの上に小屋パネルが設置された場合や小屋パネルが全く設置されていない場合との間で屋根束の取付け位置を共通化できず、結果としてコストが増大する。
【０００６】
そこで、本発明の課題は、複数の建物ユニットのうちの一部の建物ユニットの上にのみ小屋パネルを設置する場合であっても、屋根束の取付け位置を変更する必要がなく、コストの増大を抑制でき、屋根を安定的に支持することができる屋根の支持構造を提供することである。
【課題を解決するための手段】
【０００７】
上記課題を解決するために、請求項１に記載の発明は、例えば図１及び図５に示すように、
略直方体フレーム状に形成された複数の建物ユニット１１、２１を組み合わせてなる建物本体１００Ａの上部に設けられ、屋根５を支持する屋根の支持構造１０であって、
前記複数の建物ユニット２１のうち、一部の建物ユニット（例えば長建物ユニット２１１ｂ）の上面に設置され、複数本の小屋梁３１によって矩形枠状に形成された小屋パネル３と、
前記複数の建物ユニット２１のうち、前記小屋パネル３が設置されていない建物ユニット２１の柱２１３に支持される補助部材（例えば補助金具９）と、
前記小屋梁３１と前記補助部材（例えば補助金具９）とに跨って取り付けられる第１屋根束４１と、を備えており、
前記補助部材（例えば補助金具９）は、前記柱２１３の上に載置されて前記第１屋根束４１を支持する本体部９１と、前記柱２１３を有する建物ユニット２１に取り付けられる取付部９２と、を有しており、
前記本体部９１の上面（例えばフランジ９１３の上面）は、前記小屋梁３１と共に前記第１屋根束４１を受ける前記補助部材（例えば補助金具９）の上面を構成しており、
前記取付部９２は、前記本体部９１の下端部に隣接して設けられ、当該取付部９２の下面は、前記本体部９１の下面（例えばフランジ９１２の下面）と共に前記補助部材（例えば補助金具９）の下面を構成しており、
前記本体部９１の上面によって構成される前記上面よりも、前記本体部９１の下面と前記取付部９２の下面によって構成される前記下面の方が面積が広く設定され、
前記取付部９２には、前記柱２１３を有する建物ユニット２１に前記補助部材を取り付けるためのボルト８２ａが挿通される通し孔が形成され、
前記通し孔は、平面視において、前記本体部９１の上面からずれた位置に形成されていることを特徴とする。
【０００８】
請求項１に記載の発明によれば、屋根の支持構造１０が、複数の建物ユニット２１のうち、長建物ユニット２１１ｂの上面に設置され、複数本の小屋梁３１によって矩形枠状に形成された小屋パネル３と、複数の建物ユニット２１のうち、小屋パネル３が設置されていない建物ユニット２１の柱２１３に支持される補助金具９と、小屋梁３１と補助金具９とに跨って取り付けられる第１屋根束４１と、を備えるため、上階部２の上において小屋パネル３からずれた位置に第１屋根束４１を設置することができる。これにより、複数の建物ユニット２１のうちの一部の建物ユニット２１の上にのみ小屋パネル３を設置する場合であっても、全ての建物ユニット２１の上に小屋パネル３が設置される場合や小屋パネル３が全く設置されない場合と、屋根束の取付位置を共通化することができ、コストの増大を抑制できる。
また、補助金具９を介して第１屋根束４１を建物ユニット２１の柱２１３に支持させることができるため、屋根束の安定性が増し、屋根５を安定的に支持することができる。
さらに、補助金具９が、柱２１３の上に載置されて第１屋根束４１を支持する本体部９１と、柱２１３を有する建物ユニット２１に取り付けられる取付部９２と、を有するため、補助金具９の取付部分を当該建物ユニット２１の梁を避けて配置させることができる。
【０００９】
請求項２に記載の発明は、例えば図５に示すように、請求項１に記載の屋根の支持構造１０であって、
前記補助部材（例えば補助金具９）は、略台形箱状に形成されており、前記本体部９１の両側端部と前記取付部９２の両側端部にそれぞれ接合されて前記補助部材（例えば補助金具９）の両側面を構成する側面補強部９４を有することを特徴とする。
【００１１】
請求項３に記載の発明は、例えば図５に示すように、請求項１又は２に記載の屋根の支持構造１０であって、
前記補助部材（例えば補助金具９）の前記本体部９１の上面は、前記小屋パネル３の上面と同一の高さに設定されていることを特徴とする。
【００１２】
請求項３に記載の発明によれば、補助金具９の本体部９１の上面が小屋パネル３の上面と同一の高さに設定されているため、小屋梁３１と補助金具９とに跨って取り付けられる第１屋根束４１をより安定的に立設させることができる。
【００１３】
請求項４に記載の発明は、例えば図１〜図６に示すように、請求項１から３のいずれか一項に記載の屋根の支持構造１０であって、
前記補助部材（例えば補助金具９）は、前記小屋パネル３の隅部の近傍に設けられ、
前記第１屋根束４１は、前記隅部と前記補助部材（例えば補助金具９）とに跨って取り付けられていることを特徴とする。
【００１４】
請求項４に記載の発明によれば、補助金具９が小屋パネル３の隅部の近傍に設けられ、第１屋根束４１が当該隅部と補助金具９とに跨って取り付けられているため、第１屋根束４１にかかる屋根５の荷重を、小屋パネル３が設置されている長建物ユニット２１１ｂの柱と、補助金具９が設けられている柱２１３とに分散させることができ、屋根５を更に安定的に支持することができる。
【００１５】
請求項５に記載の発明は、例えば図１、図７及び図８に示すように、請求項１から４のいずれか一項に記載の屋根の支持構造１０であって、
前記小屋梁３１の外側面に取り付けられるブラケット７と、
前記小屋梁３１と前記ブラケット７とに跨って取り付けられる第２屋根束４２と、を更に備えることを特徴とする。
【００１６】
請求項５に記載の発明によれば、小屋梁３１の外側面に取り付けられるブラケット７と、小屋梁３１とブラケット７とに跨って取り付けられる第２屋根束４２と、を備えているため、小屋パネル３の周縁部であって建物ユニット２１の柱２１３から離れた位置に屋根束を設けることができる。
【００１７】
請求項６に記載の発明は、例えば図２、図７及び図８に示すように、請求項５に記載の屋根の支持構造１０であって、
前記小屋パネル３は、前記小屋梁３１のうち対向する２本の小屋梁（例えば長小屋梁３１ａ、３１ｂ）の間に架け渡される中間梁３２を有し、
前記ブラケット７は、前記小屋梁３１のうち前記中間梁３２が設けられた位置の外側に取り付けられていることを特徴とする。
【００１８】
請求項６に記載の発明によれば、小屋パネル３が、小屋梁３１のうち対向する２本の長小屋梁３１ａ、３１ｂの間に架け渡される中間梁３２を有し、ブラケット７が、小屋梁３１のうち中間梁３２が設けられた位置の外側に取り付けられているため、中間梁３２の引張力により、第１屋根束４１及び第２屋根束４２が小屋パネル３の外側に傾いたり、小屋パネル３が変形したりすることを抑制することができる。
【発明の効果】
【００１９】
本発明によれば、複数の建物ユニットのうちの一部の建物ユニットの上にのみ小屋パネルを設置する場合であっても、屋根束の取付け位置を変更する必要がなくなりコストの増大を抑制でき、屋根を安定的に支持することができる。
【図面の簡単な説明】
【００２０】
【図１】本発明の屋根の支持構造を適用したユニット式建物の一例を概略的に示す斜視図である。
【図２】本発明に係る小屋パネルを示す平面図である。
【図３】本発明に係る補助金具を示す斜視図である。
【図４】図２の小屋パネルの破線Ａで囲まれた部分を示す図である。
【図５】図２の小屋パネルの破線Ａで囲まれた部分であって、第１屋根束が取り付けられた状態を示す図である。
【図６】図２の小屋パネルの破線Ｂで囲まれた部分を示す図である。
【図７】図２の小屋パネルの破線Ｃで囲まれた部分を示す図である。
【図８】図２の小屋パネルの破線Ｃで囲まれた部分であって、第２屋根束が取り付けられた状態を示す図である。
【発明を実施するための形態】
【００２１】
以下、図面を参照して本発明の実施の形態について説明する。ただし、以下に述べる実施の形態には、本発明を実施するために技術的に好ましい種々の限定が付されているが、発明の範囲を以下の実施形態及び図示例に限定するものではない。
【００２２】
図１を参照して、本発明に係るユニット式建物１００について説明する。
図１は、本実施形態のユニット式建物１００を概略的に示す斜視図である。
【００２３】
本実施形態のユニット式建物１００は、本発明の屋根の支持構造１０を有するものである。具体的には、図１に示すように、ユニット式建物１００は、基礎（図示略）の上に設けられた下階部１と、この下階部１の上に設けられた上階部２と、この上階部２の上に設けられた小屋パネル３と、小屋パネル３の上に第１屋根束４１及び第２屋根束４２を介して配設された屋根５とを備え、屋根５と小屋パネル３との間に小屋裏空間６が形成されている。
【００２４】
下階部１及び上階部２の各々は、略直方体フレーム状に形成された複数の建物ユニット１１、２１を組み合わせて構成され、これら下階部１及び上階部２が建物本体１００Ａを構成している。
また、建物本体１００Ａの上階部２を構成する複数の建物ユニット２１のうち一部の建物ユニット２１の上面に小屋パネル３が設置されている。
【００２５】
下階部１は、複数（例えば、６つ）の略直方体フレーム状の建物ユニット１１を有し、これら建物ユニット１１が基礎の上に並べられて水平方向に連結されている。
具体的には、下階部１は、互いの長辺同士を対向させて所定方向に隣接させた３つの長建物ユニット１１１と、互いの長辺同士を対向させて当該所定方向に隣接させた３つの短建物ユニット１１２とを有している。
ここで、３つの長建物ユニット１１１が隣接される方向をＸ方向とし、水平方向において当該Ｘ方向に直交する方向をＹ方向とする。
３つの長建物ユニット１１１と３つの短建物ユニット１１２とが、短辺同士を対向させるようにしてＹ方向に隣接させて配置されている。
【００２６】
上階部２は、複数（例えば、６つ）の略直方体フレーム状の建物ユニット２１を有し、これら建物ユニット２１が下階部１の建物ユニット１１の上に並べられて水平方向に連結されている。
また、上階部２は、下階部１と略同様の構成をなし、３つの長建物ユニット２１１ａ〜２１１ｃと３つの短建物ユニット２１２ａ〜２１２ｃとを有している。そして、３つの長建物ユニット２１１ａ〜２１１ｃと３つの短建物ユニット２１２ａ〜２１１ｃとが、短辺同士を対向させるようにしてＹ方向に隣接させて配置されている。また、各建物ユニット２１の上端面の隅部には、複数の建物ユニット２１に跨るようにシアープレート２２が設けられている（図４及び図６参照）。シアープレート２２は、各建物ユニット２１のダイヤフラム（図示略）に対してボルト締結により接合されている。これにより、各建物ユニット２１が互いに連結されている。また、小屋パネル３は、金物２３を介してシアープレート２２に固定されている。
【００２７】
上階部２を構成する６つの建物ユニット２１のうち、Ｘ方向中央に配置される長建物ユニット２１１ｂの上に、小屋パネル３が設置されている。
【００２８】
なお、下階部１及び上階部２が、長建物ユニット１１１、２１１ａ〜２１１ｃと、短建物ユニット１１２、２１２ａ〜２１２ｃとの２種類で構成されているものとしたが、これに限られるものではない。例えば、１種類の建物ユニットで構成されていても良いし、長辺や短辺の長さ寸法が異なる３種類以上の建物ユニットで構成されていても良い。また、下階部１及び上階部２が、それぞれ６つの建物ユニット１１、２１で構成されているものとしたが、それぞれ１〜５つ又は７つ以上の建物ユニットで構成されていても良い。
【００２９】
屋根５は、例えば、所定形状の屋根パネルを所定数組み合わせて構成されており、本発明の屋根の支持構造１０により支持されている。なお、図示例では、屋根５を切妻屋根として示しているがこれに限られるものではなく、寄棟屋根等、その他の屋根形状としても良い。
【００３０】
続いて、本発明の屋根の支持構造１０について説明する。
屋根の支持構造１０は、建物本体１００Ａの上階部２を構成する複数の建物ユニット２１のうち一部の建物ユニット２１の上部に設置され、複数本の小屋梁３１によって矩形枠状に形成された小屋パネル３と、建物本体１００Ａの上階部２を構成する複数の建物ユニット２１のうち、小屋パネル３が設置されていない建物ユニット２１の柱２１３に支持される補助金具（補助部材）９と、小屋梁３１と補助金具９とに跨って取り付けられる第１屋根束４１と、小屋梁３１の外側面に取り付けられるブラケット７と、小屋梁３１とブラケット７とに跨って取り付けられる第２屋根束４２と、を備えて構成されている。
【００３１】
図２を参照して小屋パネル３について説明する。図２は、小屋パネル３等を示す平面図である。図２に示すように、小屋パネル３は、長建物ユニット２１１ｂの上に設置されている。
【００３２】
小屋パネル３は、略等しい長さの一対の長小屋梁３１ａ、３１ｂと、略等しい長さの一対の短小屋梁３１ｃ、３１ｄを有し、一対の長小屋梁３１ａ、３１ｂが対向し、一対の短小屋梁３１ｃ、３１ｄが対向するように矩形枠状に組み合わされて構成されている。長小屋梁３１ａ、３１ｂの外側面には、後述するブラケット７が取り付けられている。
また、小屋パネル３は、平面視形状が長建物ユニット２１１ｂと略等しく形成されている。
このように構成される小屋パネル３は、ブラケット７及び補助金具９と共に、第１屋根束４１及び第２屋根束４２を支持する。
【００３３】
また、小屋パネル３の小屋梁３１の上端面のうち、図２の破線Ａ〜Ｃの位置にはそれぞれ、後述するボルト８１ａ、８４ａが挿通される束用通し孔３１ｅ、３１ｆが複数形成されている。当該束用通し孔３１ｅに、後述する第１屋根束４１及び第２屋根束４２の通し孔４１１ａ、４２１ａが重ね合わされ、それぞれボルト８１ａ、８４ａ等が挿通されることで、第１屋根束４１及び第２屋根束４２が小屋梁３１に取り付けられている。
【００３４】
また、小屋パネル３は、対向する２本の長小屋梁３１ａ、３１ｂの間に架け渡される２本の中間梁３２を有する。
中間梁３２は、一対の短小屋梁３１ｃ、３１ｄと略等しい方向に延在する長尺な部材であり、対向する一対の長小屋梁３１ａ、３１ｂの各々の中間部同士に架け渡されている。
中間梁３２の長手方向の両端部の各々には、ボルト８５ａが挿通される取付用通し孔（図示略）が２つ形成され、一対の長小屋梁３１ａ、３１ｂには、ボルト８５ａが挿通される通し孔（図示略）が２つ形成されている。中間梁３２の各端部にて、２つの取付用通し孔が各長小屋梁３１ａ、３１ｂの２つの通し孔にそれぞれ重ね合わされ、ボルト８５ａが当該取付用通し孔及び当該通し孔に通されてナット８５ｂに螺合している。このようにして、一対の長小屋梁３１ａ、３１ｂの内側面に中間梁３２が締結されている。
【００３５】
このような中間梁３２が設けられていることで、一対の長小屋梁３１ａと３１ｂとの間に引張力が生じ、第１屋根束４１及び第２屋根束４２が小屋パネル３の外側に傾いたり小屋パネル３が変形したりすることを抑制している。
なお、中間梁３２は、１本又は３本以上設けられていても良いし、短小屋梁３１ｃ、３１ｄの間に架け渡されて設けられていても良い。
【００３６】
また、小屋梁３１の内側において中間梁３２で区切られた部分毎に、一対の長小屋梁３１ａ、３１ｂの間に２本のブレース（図示略）が交差して架け渡されている。つまり、ブレースは、小屋梁３１と中間梁３２とがなす領域の対角線上に配設されている。
【００３７】
図３〜６を参照して補助金具９及び第１屋根束４１等について説明する。
図３は、補助金具９を示す斜視図である。図４（ａ）は、図２の小屋パネル３の破線Ａで囲まれた部分を示す平面図であり、図４（ｂ）は、図４（ａ）に示す部分に第１屋根束４１が取り付けられた状態を示す平面図である。また、図５（ａ）は、図４（ｂ）のＶａ−Ｖａ線に沿った面から見た側面図であり、図５（ｂ）は、図４（ｂ）をＶｂ−Ｖｂ線に沿った面から見た側面図である。また、図６（ａ）は、図２の小屋パネル３の破線Ｂで囲まれた部分を示す平面図であり、図６（ｂ）は、図６（ａ）に示す部分に第１屋根束４１が取り付けられた状態を示す平面図である。なお、図４（ｂ）及び図６（ｂ）では、ボルト８１ａの図示を省略しており、図５では、シアープレート２２の図示を省略している。
【００３８】
図３等に示すように、補助金具９は、建物ユニット２１の柱２１３の上に載置されて第１屋根束４１を支持する本体部９１と、当該柱２１３を有する建物ユニット２１に取り付けられる取付部９２と、取付部９２に設けられて当該取付部９２を補強する補強部９３と、本体部９１と取付部９２を連結して補強する２つの側面補強部９４と、を有して構成されている。
【００３９】
本体部９１は、ウェブ９１１及び二つのフランジ９１２、９１３からなる断面略コ字型の部材であり、そのような部材としては、建物ユニット２１や小屋パネル３の梁等として用いられる溝型鋼が用いられる。また、本体部９１は、フランジ９１２を下面とし、フランジ９１３を上面として小屋パネル３と反対方向に開口するように配置されていれば、いずれの向きに配置されていても良い。
【００４０】
本体部９１のフランジ９１２は、建物ユニット２１の柱２１３の上端面に対向するように配置され、当該柱２１３に支持されている。これにより、補助金具９が建物ユニット２１の柱２１３等によって確実に支持され、当該補助金具９のフランジ９１３上に設けられる第１屋根束４１を安定的に支持することができる。
【００４１】
本体部９１のフランジ９１３は、第１屋根束４１が取り付けられて、当該第１屋根束４１を支持する。また、本体部９１の上面、すなわちフランジ９１３は、小屋パネル３を構成する小屋梁３１の上面と同一の高さとなるように設定されている。このフランジ９１３には、第１屋根束４１を取り付けるボルト８１ａが挿通される束用通し孔９１３ａが形成されている。
【００４２】
なお、図６に示すように、図２中の破線Ｂで示す位置に配置される補強金具９の本体部９１は、軸方向に長尺に形成されている。これにより、屋根５が寄棟屋根として構成されている場合等において、第１屋根束４１の代わりに屋根５の端部を支持する支持部材（図示略）を建物本体１００Ａの内側のやや控えた位置に配置させることができる。支持部材をやや控えた位置に配置できることで、支持部材の鉛直方向の長さを一定以上に構成して支持部材の耐久性を向上させることができ、屋根５を安定的に支持することが可能となっている。
また、図２中の破線Ａに示す位置に配置される補強金具９と、破線Ｂの位置に配置される補強金具９とは、本体部９１の形状が互いに異なっているものとしたが、両者は同じ形状に形成されているものとしても良い。
【００４３】
取付部９２は、平板状に形成された部材であり、本体部９１のフランジ９１２と同一平面となるように設けられている。取付部９２には、補助金具９を建物ユニット２１に取り付けるボルト８２ａが挿通される通し孔（図示略）が形成されている。また、建物ユニット２１の上端面にも、ボルト８２ａが挿通される通し孔（図示略）が形成されている。
取付部９２の通し孔が建物ユニット２１の通し孔に重ね合わされ、ボルト８２ａがそれらの通し孔に通されてナット８２ｂに螺合している。これにより、取付部９２が建物ユニット２１に対して取り付けられて、補助金具９が建物ユニット２１に対して固定されている。
このように、補助金具９が取付部９２を有し、当該取付部９２が建物ユニット２１に取り付けられていることで、補助金具９を建物ユニット２１の梁以外の位置に取り付けることができる。
【００４４】
補強部９３は、Ｙ方向から見て略コ字型に形成されてＹ方向に延在する部材であり、上方に向けて開口するように配置されている。補強部９３は、取付部９２上に設けられ、当該取付部９２の上記通し孔に重なるように配置されている。補強部９３には、当該ボルト８２ａが挿通される通し孔９３ａが形成されており、ボルト８２ａは、補強部９３、取付部９２及び建物ユニット２１の各通し孔に通されてナット８２ｂに螺合している。このような補強部９３を介して取付部９２が建物ユニット２１に取り付けられていることにより、取付部９２におけるボルト８２ａの取付部分の強度が向上されて、ボルト８２ａが強く締結される場合において取付部９２が変形することが防止されている。
【００４５】
側面補強部９４は、板状に形成された部材であり、本体部９１の軸方向両端部に、ウェブ９１１及びフランジ９１２、９１３の各面に対して略直交する方向に配置されている。また、側面補強部９４は、その端面がウェブ９１１及びフランジ９１２、９１３にそれぞれ溶接等により接合されている。側面補強部９４の端面のうちフランジ９１２に接合される端面は、フランジ９１２と同一平面となるように設けられた取付部９２の上面にも溶接等により接合されている。これにより、本体部９１と取付部９２とが連結されている。また、２つの側面補強部９４が設けられていることにより、補助金具９の鉛直方向の荷重に対する耐久性が向上されている。
なお、本体部９１と取付部９２とが溶接等により接合されていても良い。
【００４６】
このように構成される補助金具９は、図２の破線Ａ及び破線Ｂに示すように、小屋パネル３の隅部の近傍に配置されている。具体的には、補助金具９は、図１に示すように、小屋パネル３が設けられている長建物ユニット２１１ｂにＸ方向に隣接する長建物ユニット２１１ａ、２１１ｃの上端面の隅部にそれぞれ設けられている。また、補助金具９は、長建物ユニット２１１ｂにＹ方向に隣接する短建物ユニット２１２ｂに対して更にＸ方向に隣接する短建物ユニット２１２ａ、２１２ｃの上端面の隅部にそれぞれ設けられている。
なお、補助金具９が設けられる位置は、図１に示す例に限られるものではなく、小屋パネル３が設置されていない建物ユニット２１のいずれかの上端面上であって当該建物ユニット２１を構成する柱に支持されれば、いずれであっても良い。
【００４７】
第１屋根束４１は、図４〜図６に示すように、小屋パネル３の小屋梁３１の上端面と、補助金具９のフランジ９１３の上端面とに跨るように取り付けられて立設され、屋根５を支持する。第１屋根束４１は、小屋梁３１や補助金具９等に対して取り付けられる板状のベース部４１１と、当該ベース部４１１に対して略垂直に立設する本体部４１２とを有している。ベース部４１１には、４つの通し孔４１１ａが形成され、当該通し孔４１１ａが形成されている位置は、図２の破線Ａの位置に配置される第１屋根束４１と、図２の破線Ｂの位置に配置される第１屋根束４１とで異なっている。なお、通し孔４１１ａが形成される数及び位置は、図４〜図６の示す例に限定されるものではなく、第１屋根束４１の取り付け位置やその他の条件に応じて適宜設定されるものである。
【００４８】
図４（ｂ）又は図６（ｂ）に示すように、第１屋根束４１のベース部４１１の４つの通し孔４１１ａが、フランジ９１３の束用通し孔９１３ａ及び小屋梁３１の３つの束用通し孔３１ｅにそれぞれ重ね合わされている。そして、ボルト８１ａが通し孔４１１ａ及び束用通し孔９１３ａに通されてナット８１ｂに螺合しているとともに、ボルト８１ａが通し孔４１１ａ及び束用通し孔３１ｅに通されてナット８１ｂに螺合している。このようにして、第１屋根束４１が、補助金具９のフランジ９１３及び小屋梁３１の上端面に跨がるように締結されている。
【００４９】
図７及び図８を参照してブラケット７及び第２屋根束４２等について説明する。
図７（ａ）は、図２の小屋パネル３の破線Ｃで囲まれた部分を示す平面図であり、図７（ｂ）は、図７（ａ）に示す部分に第２屋根束４２が取り付けられた状態を示す平面図である。また、図８（ａ）は、図７（ｂ）を矢印Ａ方向から見た側面図であり、図８（ｂ）は、図７（ｂ）を矢印Ｂ方向から見た側面図である。なお、図７（ｂ）では、ボルト８４ａの図示を省略している。
【００５０】
ブラケット７は、一対の長小屋梁３１ａ、３１ｂの各々の中間部の外側面に、固定されている。具体的には、長小屋梁３１ａ、３１ｂのうち中間梁３２が取り付けられている位置の外側に取り付けられている。
【００５１】
ブラケット７は、長小屋梁３１ａ又は３１ｂの外側面に取付けられる取付面部７１と、第２屋根束４２を支持する支持面部７２と、補強用フレーム部７３とを有して構成されている。
【００５２】
取付面部７１は、例えば、小屋梁３１の側面に沿って形成された略矩形状の板状部材である。取付面部７１は、長小屋梁３１ａの外側面に溶接等により取り付けられている。
また、取付面部７１の上端に連続して支持面部７２が形成されている。
【００５３】
支持面部７２は、水平方向に沿って形成された略矩形状の板状部材である。支持面部７２は、取付面部７１の上端から当該ブラケット７が取り付けられる小屋パネル３の外側、すなわち、小屋パネル３が設置されない長建物ユニット２１１ａ、２１１ｃ側に略水平に突出するように取付面部７１の上端に連結されている。また、支持面部７２の上面の高さ位置は、当該ブラケット７が取り付けられる長小屋梁３１ａの上端面の高さ位置と略等しくなっている。
また、支持面部７２のＹ方向両端部には、ボルト８４ａが挿通される束用通し孔７２ａが形成されている。
【００５４】
補強用フレーム部７３は、取付面部７１の外面と支持面部７２の底面とを連結する板状部材であり、取付面部７１及び支持面部７２の各々に略直交するように配置されている。また、補強用フレーム部７３は、Ｙ方向に所定の間隔を空けて２つ配設されている。
【００５５】
第２屋根束４２は、図７及び図８に示すように、小屋パネル３の小屋梁３１の上端面と、ブラケット７の支持面部７２の上端面とに跨るように取り付けられて立設され、屋根５を支持する。第２屋根束４２は、第１屋根束４１と略同様に構成され、ベース部４２１と本体部４２２とを有する。ベース部４２１に形成される４つの通し孔４２１ａの位置は、図４（ｂ）及び図６（ｂ）に示す第１屋根束４１と異なっている。なお、通し孔４２１ａが形成される数及び位置は、図７及び図８に示す例に限定されるものではなく、第２屋根束４２の取り付け位置やその他の条件に応じて適宜設定されるものである。
【００５６】
図７（ｂ）に示すように、第２屋根束４２のベース部４２１の４つの通し孔４２１ａが、ブラケット７の２つの束用通し孔７２ａ及び小屋梁３１の２つの束用通し孔３１ｆにそれぞれ重ね合わされている。そして、ボルト８４ａが通し孔４２１ａ及び束用通し孔７２ａに通されてナット８４ｂに螺合しているとともに、ボルト８４ａが通し孔４２１ａ及び束用通し孔３１ｆに通されてナット８４ｂに螺合している。このようにして、第２屋根束４２が、ブラケット７の支持面部７２及び小屋梁３１の上端面に跨がるように締結されている。
【００５７】
以上のように、本実施形態の屋根の支持構造１０によれば、複数の建物ユニット２１のうち、長建物ユニット２１１ｂの上面に設置され、複数本の小屋梁３１によって矩形枠状に形成された小屋パネル３と、建物本体１００Ａの上階部２を構成する複数の建物ユニット２１のうち、小屋パネル３が設置されていない建物ユニット２１の柱２１３に支持される補助金具９と、小屋梁３１と補助金具９とに跨って取り付けられる第１屋根束４１と、を備えるため、上階部２の上面において小屋パネル３からずれた位置に第１屋根束４１を設置することができる。これにより、複数の建物ユニット２１のうちの一部の建物ユニット２１の上にのみ小屋パネル３を設置する場合であっても、全ての建物ユニット２１の上に小屋パネル３が設置された場合や小屋パネル３が全く設置されていない場合と、屋根束の取付位置を共通化することができ、コストの増大を抑制できる。
また、補助金具９を介して第１屋根束４１を建物ユニット２１の柱２１３に支持させることができるため、屋根束の安定性が増し、屋根５を安定的に支持することができる。
【００５８】
また、補助金具９が、柱２１３の上に載置されて第１屋根束４１を支持する本体部９１と、柱２１３を有する建物ユニット２１に取り付けられる取付部９２と、を有するため、補助金具９の取付部分を当該建物ユニット２１の梁を避けて配置させることができる。
【００５９】
また、補助金具９の本体部９１の上面が小屋パネル３の上面と同一の高さに設定されているため、小屋梁３１と補助金具９とに跨って取り付けられる第１屋根束４１をより安定的に立設させることができる。
【００６０】
また、補助金具９が小屋パネル３の隅部の近傍に設けられ、第１屋根束４１が当該隅部と補助金具９とに跨って取り付けられているため、第１屋根束４１にかかる屋根５の荷重を、小屋パネル３が設置されている長建物ユニット２１１ｂの柱と、補助金具９が設けられている柱２１３とに分散させることができる。これにより、屋根５を更に安定的に支持することができる。
【００６１】
また、小屋梁３１の外側面に取り付けられるブラケット７と、小屋梁３１とブラケット７とに跨って取り付けられる第２屋根束４２と、を備えているため、小屋パネル３の周縁部であって建物ユニット２１の柱２１３から離れた位置に屋根束を設けることができる。
【００６２】
また、小屋パネル３が、小屋梁３１のうち対向する２本の長小屋梁３１ａ、３１ｂの間に架け渡される中間梁３２を有し、ブラケット７が小屋梁３１のうち中間梁３２が設けられた位置の外側に取り付けられているため、中間梁３２の引張力により、第１屋根束４１及び第２屋根束４２が小屋パネル３の外側に傾いたり、小屋パネル３が変形したりすることを抑制することができる。
【００６３】
なお、上記実施形態では、小屋パネル３が１つ設けられているものとしたが、２つ以上設けられているものとしても良い。この場合には、第１屋根束４１及び第２屋根束４２のうちの一部が、隣り合う小屋パネル３同士の間に跨るように取り付けられていても良い。
【００６４】
また、上記実施形態では、小屋パネル３が中間梁３２を有するものとしたが、中間梁３２を有していなくても良い。
【００６５】
また、上記実施形態では、小屋裏空間６が小屋パネル３の全面の上方空間に構成されるものとしたが、小屋パネル３の一部の領域の上方空間にのみ構成されるものとしても良い。
【００６６】
また、上記実施形態では、小屋パネル３にブレースが設けられているものとしたが、これが設けられていなくても良い。
更に、小屋パネル３にブレースを設ける代わりに、当該小屋パネル３が載置されている建物ユニット２１の天井側にブレースが設けられているものとしても良い。また、小屋パネル３が配設されていない建物ユニット２１の天井側にも、ブレースが設けられているものとしても良い。
【００６７】
また、上記実施形態では、補助金具９の本体部９１は、断面略コ字型に形成されているものとしたが、これに限られるものではない。例えば、角筒形状や直方体形状に形成されていても良い。
【００６８】
また、上記実施形態では、補助金具９が取付部９２、補強部９３及び側面補強部９４を有しているものとしたが、取付部９２、補強部９３及び側面補強部９４を有していなくても良く、その場合には、本体部９１が建物ユニット２１の柱２１３に直接取り付けられる。
【００６９】
また、上記実施形態では、屋根の支持構造１０がブラケット７及び第２屋根束４２を備えているものとしたが、これらを備えていなくても良い。
【００７０】
また、上記した実施形態では、小屋パネル３、補助金具９及び第１屋根束４１が上階部２を構成する建物ユニット２１の上面に設けられているものとしたが、下階部１を構成する建物ユニット１１の上面に設けられているものとしても良い。
【符号の説明】
【００７１】
１        下階部
２        上階部
３        小屋パネル
４        屋根束
５        屋根
６        小屋裏空間
７        ブラケット
９        補助金具（補助部材）
１０      屋根の支持構造
１１、１２  建物ユニット
２２      シアープレート
２３      金物
３１      小屋梁
３１ａ、３１ｂ  長小屋梁
３１ｃ、３１ｄ  短小屋梁
３１ｅ、３１ｆ  束用通し孔
３２      中間梁
４１      第１屋根束
４２      第２屋根束
７１      取付面部
７１ａ    取付用通し孔
７２      支持面部
７２ａ    束用通し孔
７３      補強用フレーム部
８１ａ、８２ａ、８４ａ、８５ａ  ボルト
８１ｂ、８２ｂ、８４ｂ、８５ｂ  ナット
９１      本体部
９２      取付部
９３      補強部
９３ａ    通し孔
９４      側面補強部
１００    ユニット式建物
１００Ａ  建物本体
１１１    長建物ユニット
１１２    短建物ユニット
２１１ａ、２１１ｂ、２１１ｃ  長建物ユニット
２１２ａ、２１２ｂ、２１２ｃ  短建物ユニット
２１３    柱
４１１    ベース部
４１１ａ  通し孔
４１２    本体部
４２１    ベース部
４２１ａ  通し孔
４２２    本体部
９１１    ウェブ
９１２、９１３  フランジ
９１３ａ  束用通し孔
【図１】
0006417166.tif 000002
【図２】
0006417166.tif 000003
【図３】
0006417166.tif 000004
【図４】
0006417166.tif 000005
【図５】
0006417166.tif 000006
【図６】
0006417166.tif 000007
【図７】
0006417166.tif 000008
【図８】
0006417166.tif 000009